(57)【要約】【課題】メインミラー枠の開口を大きくしてもファインダ側からの迷光による悪影響を受けないようにする。【解決手段】メインミラーおよびサブミラーと、メインミラーの透過光束をサブミラーに導くための開口３ｃを有し、撮影時姿勢と非撮影時姿勢との間で回動可能なメインミラー枠３と、撮影時姿勢と非撮影時姿勢との間で回動可能にメインミラー枠３に軸支され、撮影時姿勢でメインミラー枠３の開口３ｃを覆うサブミラー枠４とを備える。サブミラー枠４の自由端側には、非撮影時姿勢で撮影光軸と略直交する面を持つ第１遮光壁４ａが設けられ、メインミラー枠３の自由端側開口縁部には、非撮影時姿勢で撮影光軸と略平行な面を持つ第２遮光壁３ａが設けられ、サブミラー枠４が撮影時姿勢に移行すると、第１，第２遮光壁４ａ，３ａが略平行状態で重なって開口先端を遮光する。【選択図】        図５
2004317751.tif 000002
【特許請求の範囲】
【請求項１】
撮影光束を反射してファインダ光学系に導くとともに、一部の光束を透過するメインミラーと、
該メインミラーの透過光束を反射するサブミラーと、
前記メインミラーを保持するとともに、該メインミラーの透過光束を前記サブミラーに導くための開口を有し、撮影時姿勢と非撮影時姿勢との間で回動可能なメインミラー枠と、
前記サブミラーを保持するとともに、撮影時姿勢と非撮影時姿勢との間で回動可能に前記メインミラー枠に軸支され、撮影時姿勢で前記メインミラー枠の開口を覆うサブミラー枠とを備え、
前記サブミラー枠の自由端側には、前記非撮影時姿勢で撮影光軸と略直交する面を持つ第１遮光壁が設けられ、前記メインミラー枠の自由端側開口縁部には、前記非撮影時姿勢で前記撮影光軸と略平行な面を持つ第２遮光壁が設けられ、前記メインミラー枠およびサブミラー枠がそれぞれ前記撮影時姿勢に移行すると、前記第１，第２遮光壁が略平行状態で重なって開口先端を遮光するよう構成したことを特徴とする一眼レフカメラのミラー構造。
【請求項２】
前記サブミラー枠には、前記第１遮光壁の両端にそれぞれ連なる一対の第３遮光壁が設けられ、前記サブミラー枠が前記撮影時姿勢に移行すると、前記一対の第３遮光壁が前記開口の両サイドをそれぞれ遮光するよう構成したことを特徴とする請求項１に記載の一眼レフカメラのミラー構造。
【請求項３】
前記メインミラー枠には、前記第２遮光壁の両端にそれぞれ連なる一対の第４遮光壁が設けられ、前記サブミラー枠が前記撮影時姿勢に移行すると、前記一対の第４遮光壁が前記開口の両サイドをそれぞれ遮光するよう構成したことを特徴とする請求項１に記載の一眼レフカメラのミラー構造。
【請求項４】
前記サブミラー枠には、前記第１遮光壁の両端にそれぞれ連なる一対の第３遮光壁が設けられ、前記メインミラー枠には、前記第２遮光壁の両端にそれぞれ連なる一対の第４遮光壁が設けられ、前記サブミラー枠が前記撮影時姿勢に移行すると、前記各一対の第３，第４遮光壁が略平行状態で重なり前記開口の両サイドをそれぞれ遮光するよう構成したことを特徴とする請求項１に記載の一眼レフカメラのミラー構造。
【請求項５】
前記第２遮光壁には、前記第１遮光壁と当接して前記サブミラー枠のバウンドを防止するためのクッション材が設けられていることを特徴とする請求項１に記載の一眼レフカメラのミラー構造。
【請求項６】
撮影光束を反射してファインダ光学系に導くとともに、一部の光束を透過するメインミラーと、
該メインミラーの透過光束を反射するサブミラーと、
前記メインミラーを保持するとともに、該メインミラーの透過光束を前記サブミラーに導くための開口を有し、撮影時姿勢と非撮影時姿勢との間で回動可能なメインミラー枠と、
前記サブミラーを保持するとともに、撮影時姿勢と非撮影時姿勢との間で回動可能に前記メインミラー枠に軸支され、撮影時姿勢で前記メインミラー枠の開口を覆うサブミラー枠とを備え、
前記サブミラー枠には、その自由端側に先端遮光壁が設けられるとともに、該先端遮光壁の両端にそれぞれ連なる一対の側遮光壁が設けられ、前記メインミラー枠およびサブミラー枠がそれぞれ前記撮影時姿勢に移行すると、前記先端遮光壁が前記開口の先端側を遮光し、前記一対の側遮光壁が前記開口の両サイドを遮光するよう構成したことを特徴とする一眼レフカメラのミラー構造。
【発明の詳細な説明】
【０００１】
【発明の属する技術分野】
本発明は、メインミラーとサブミラーとを備えた一眼レフカメラのミラー構造に関する。
【０００２】
【従来の技術】
撮影レンズの透過光束をメインミラー（ハーフミラー）で反射してファインダ光学系に導く一方、メインミラーを透過した一部の光束をサブミラーで反射して焦点検出ユニットに導くＡＦ一眼レフカメラがある。かかるカメラでは、レリーズ操作に伴ってメインミラーおよびサブミラーとも撮影光路から退避させ、その後にシャッタレリーズを行う。サブミラーを保持するサブミラー保持枠を、メインミラーを保持するメインミラー保持枠に回動可能に軸支したものがある（例えば、特許文献１参照）。
【０００３】
また、ミラーユニットと撮像素子との間に光学ローパスフィルタを設けた一眼レフタイプのデジタルスチルカメラにおいて、光学ローパスフィルタを撮影光路に挿入／退避可能としたものがある（例えば、特許文献２参照）。これは、ミラーダウンに連動してフィルタを光路から退避させ、フィルタが位置していた箇所にサブミラーの一部が位置するようにすることで、カメラを大型化せずにフィルタの配置を可能としている。
【０００４】
【特許文献１】
特開平９−２０３９７４号公報
【特許文献２】
特開平１１−２０５６３９号公報
【０００５】
【発明が解決しようとする課題】
上述したようにメインミラーの透過光を焦点検出光として利用する構成では、その透過光をサブミラーに導くためにメインミラー枠に開口を設ける必要があり、その開口面積は、撮影画面における焦点検出エリアに応じた大きさ以上でなければならない。しかし、かかる開口をメインミラー枠に設けると、ミラーアップ時（撮影時）にファインダ接眼レンズからの入射光がメインミラーおよび開口を通って撮影光路に進入し、撮影結果に悪影響を与えるおそれがある。特に近年では焦点検出エリアが大型化しているため、その分上記開口面積を大きくする必要があり、ファインダ側からの迷光による影響が深刻化している。
【０００６】
本発明の目的は、メインミラー枠の開口を大きくしてもファインダ側からの迷光による悪影響を受けないようにした一眼レフカメラのミラー構造を提供することにある。
【０００７】
【課題を解決するための手段】
請求項１の発明に係る一眼レフカメラのミラー構造は、撮影光束を反射してファインダ光学系に導くとともに、一部の光束を透過するメインミラーと、メインミラーの透過光束を反射するサブミラーと、メインミラーを保持するとともに、メインミラーの透過光束をサブミラーに導くための開口を有し、撮影時姿勢と非撮影時姿勢との間で回動可能なメインミラー枠と、サブミラーを保持するとともに、撮影時姿勢と非撮影時姿勢との間で回動可能にメインミラー枠に軸支され、撮影時姿勢でメインミラー枠の開口を覆うサブミラー枠とを備える。サブミラー枠の自由端側には、非撮影時姿勢で撮影光軸と略直交する面を持つ第１遮光壁が設けられ、メインミラー枠の自由端側開口縁部には、非撮影時姿勢で撮影光軸と略平行な面を持つ第２遮光壁が設けられ、メインミラー枠およびサブミラー枠がそれぞれ撮影時姿勢に移行すると、第１，第２遮光壁が略平行状態で重なって開口先端を遮光するよう構成する。
請求項２の発明は、サブミラー枠に、第１遮光壁の両端にそれぞれ連なる一対の第３遮光壁を設け、サブミラー枠が撮影時姿勢に移行すると、一対の第３遮光壁が開口の両サイドをそれぞれ遮光するよう構成したものである。
請求項３の発明は、メインミラー枠に、第２遮光壁の両端にそれぞれ連なる一対の第４遮光壁を設け、サブミラー枠が撮影時姿勢に移行すると、一対の第４遮光壁が開口の両サイドをそれぞれ遮光するよう構成したものである。
請求項４の発明は、サブミラー枠に、第１遮光壁の両端にそれぞれ連なる一対の第３遮光壁を設け、メインミラー枠に、第２遮光壁の両端にそれぞれ連なる一対の第４遮光壁を設け、サブミラー枠が撮影時姿勢に移行すると、各一対の第３，第４遮光壁が略平行状態で重なり開口の両サイドをそれぞれ遮光するよう構成したものである。
請求項５の発明は、第２遮光壁に、第１遮光壁と当接してサブミラー枠のバウンドを防止するためのクッション材を設けたものである。
請求項６の発明に係る一眼レフカメラのミラー構造は、上述したメインミラー，サブミラー，メインミラー枠およびサブミラー枠を備える。サブミラー枠には、その自由端側に先端遮光壁が設けられるとともに、先端遮光壁の両端にそれぞれ連なる一対の側遮光壁が設けられ、メインミラー枠およびサブミラー枠がそれぞれ撮影時姿勢に移行すると、先端遮光壁が開口の先端側を遮光し、一対の側遮光壁が開口の両サイドを遮光するよう構成する。
【０００８】
【発明の実施の形態】
図１〜図７により本発明を一眼レフデジタルスチルカメラのミラー構造に適用した場合の一実施形態を説明する。
図１，図２において、カメラ本体のミラーボックスには、ハーフミラーであるメインミラー１と、全反射ミラーであるサブミラー２とが設けられている。まず基本動作を説明すると、これらのメイン／サブミラー１，２は、図１のミラーダウン状態では撮影光路内に光軸に対して斜めに挿通されている。このとき、撮影レンズ１０の透過光束の一部はメインミラー１で上方に反射され、ペンタプリズム１１を介してファインダ接眼レンズ１２にて観察される。
【０００９】
また、メインミラー１の一部１ａ（図２）を透過した光束は、サブミラー２によって下方に反射され、ミラーボックス底部に配置された焦点検出ユニット１３に入射する。焦点検出ユニット１３は、その入射光束をセンサで受光して撮影レンズの焦点調節状態を検出する。
図１の１００は撮影光軸を、１００ａはメインミラー１を透過した光束の光軸を、１０１は撮影レンズ１０の透過光束のうち焦点検出に寄与する光束を示している。
【００１０】
不図示のシャッタボタンが操作されると、図３，図４に示すようにメインミラー１が回動式に跳ね上げられるとともに、サブミラー２はメインミラー１に対して回動し、両ミラー１，２ともに撮影光路から退避する（ミラーアップ状態）。この状態でシャッタ１４が開かれると、撮影レンズ１０の透過光束が撮像素子１５に導かれ、撮像が行われる。その後、シャッタ１４が閉じると撮像が完了し、両ミラー１，２は図１のミラーダウン状態に復帰する。なお、８はミラーアップ時にメインミラー１のバウンドを防止するためのクッション材である。
【００１１】
図５，図６も参照してミラー構造について更に詳しく説明する。
メインミラー１は、開口３ｃを有する金属製のメインミラー枠３に保持され、メインミラー枠３は回動軸７（図１）を中心に回動可能に軸支されている。ミラーダウン状態でメインミラー１を透過した光束は、開口３ｃを通り、焦点検出用光束としてサブミラー２に向かう。したがって、開口３ｃの位置および大きさは、撮影画面における焦点検出エリアの位置および面積に依存することになる。図５の３ｄはメインミラー枠３の裏面（ミラー保持面の反対側の面）を示している。
【００１２】
一方、サブミラー２は金属製のサブミラー枠４に保持され、サブミラー枠４は、メインミラー枠３に設けた回動軸６に回転自在に軸支されている。図５の４ｃはサブミラー枠４のミラー保持面を示し、図ではサブミラー２がまだ保持されていない状態を示している。メインミラー枠３およびサブミラー枠４が、それぞれ軸７，６を中心に非撮影時姿勢（図１）と撮影時姿勢（図３）との間で回動することで、ミラー１，２が上記アップ／ダウン状態をとり得る。メインミラー枠３の動作とサブミラー枠４の動作は、不図示の連動機構を介して連動している。
【００１３】
ところで、近年の焦点検出エリアの大型化に伴ってメインミラー枠３の開口３ｃは大きくなり、開口３ｃが大きくなると、ミラーアップ時に接眼レンズ１２からの光が開口３ｃを介して不所望に撮影光路に進入する可能性が増大する。このファインダからの迷光を防止するために、ミラーアップ状態で開口３ｃをサブミラー枠４で塞ぐことが考えられるが、開口３ｃの面積が大きいめ、それに応じてサブミラー枠４を大きくする必要がある。
【００１４】
サブミラー枠４の大型化を考えた場合、横方向（図では長辺方向）には比較的余裕があるが、縦方向は殆ど余裕がない。すなわち、図１から解るようにサブミラー２の直ぐ後方にシャッタ１４があるため、サブミラー枠４をそのまま後方に長く伸ばすことはできない。シャッタ１４および撮像素子１５の位置を後方にずらすことで対処できるが、これはカメラの大型化を招来するとともに、光路長の問題もあって採用し難い。逆にミラーユニットを前方に出すと、撮影レンズ１０との間隔が短くなるためばかりでなく、ファインダ光路長を伸ばすためにファインダ部を高くしなければならず、これも採用できない。
【００１５】
そこで本実施形態では、以下の構成により上記問題を解決するようにした。
サブミラー枠４は、そのミラー保持面４ｃの外縁に遮光壁４ａ，４ｂが形成され、これにより全体として箱形状とされる。遮光壁４ａはサブミラー枠４の先端（自由端）側の縁部に設けられる先端壁であり、一対の遮光壁４ｂは、先端壁４ａの両端に連なりサブミラー枠４の側縁に沿って設けられる側壁である。先端壁４ａの壁面は、ミラー保持面４ｃに対して斜めに立ち上がる斜面であり、一対の側壁４ｂの壁面はミラー保持面４ｃに対して略直交する面となっている。先端壁４ａは、ミラーダウン状態では、図２に示すようにシャッタ１４の直ぐ前方にシャッタ幕面とほぼ平行（光軸１００，１００ａと略垂直）に延在するため、シャッタ１４と干渉することはない。
【００１６】
一方、メインミラー枠３の裏面３ｄには、開口３ｃの周縁に遮光壁３ａ，３ｂが設けられる。遮光壁３ａは、開口３ｃの先端側（ミラー枠３の自由端側）の縁部に設けられる先端壁であり、一対の遮光壁３ｂは、先端壁３ａの両端に連なり開口３ｃの両側縁に沿って設けられる側壁である。先端壁３ａの壁面は、裏面３ｄに対して斜めに立ち上がる斜面であり、一対の側壁３ｂの壁面は、裏面３ｄに対して略直交する面となっている。先端壁３ａには、サブミラー枠４のバウンドを吸収するためのクッション材５（例えばスポンジ状のもの）が貼着されている。先端壁３ａは、ミラーダウン状態では図２に示すように光軸１００，１００ａと平行に延在するため、メインミラー１の透過光束が先端壁３ａによって遮られることはなく、焦点検出に何ら影響を与えない。また、メインミラー１と直交する方向から見ると、開口３ｃの面積を小さくできる。
【００１７】
ミラーアップ状態になると、図６に示すように、サブミラー枠４がメインミラー枠３の開口３ｃを覆い、サブミラー枠４の先端壁４ａがクッション材５に当接することでバウンドが吸収される。このとき、図４に示すようにサブミラー枠４の先端壁４ａは、メインミラー枠３の先端壁３ａにほぼ平行に重なり、両先端壁４ａ，３ａがクッション材５を挟み込む状態となる。加えて、サブミラー枠４の両側壁４ｂは、図７に示すようにメインミラー枠３の側壁３ａの直ぐ外側にほぼ平行に重なる。
【００１８】
これにより、開口３ｃはサブミラー枠４のミラー保持面４ｃで大部分が蓋をされるとともに、開口縁部はそれぞれ２重の遮光壁（４ａ，３ａ：４ｂ，３ｂ）で遮光される。したがって、例えば図７の矢印方向の光は壁３ｂ，４ｂで遮られ、ファインダからの迷光が撮影光路内に進入することはない。そして、本実施形態では、遮光壁である先端壁４ａ，３ａをサブミラー枠４およびメインミラー枠３からそれぞれ斜めに立ち上げたので、シャッタ１４を後方にずらすことなく、また焦点検出用の光束を遮ることなく大型の開口３ｃを閉塞できる。
【００１９】
加えて、メインミラー枠３，サブミラー枠４とも遮光壁によって箱形形状をなしているので、強度アップが図れ、高速でミラーアップ／ダウンする際の衝撃で枠が歪むのを防止する効果もある。
【００２０】
ここで、図ではサブミラー２の直ぐ後方にシャッタ１４があるが、サブミラー２とシャッタ１４との間に光学ローパスフィルタを配置したカメラもある。この場合、ミラーアップに連動して光学ローパスフィルタを撮影光路中に挿入し、ミラーダウンに連動して光路から退避するよう構成することで（例えば、特開平１１−２０５６３９号公報）、サブミラーの後方に余裕ができ、上述したような先端壁を設けることなくサブミラー枠を大型化できる。しかし、この場合はフィルタを光路に挿脱するための機構が必要となり、部品点数が増大してコストアップとなる。本実施形態の構成では、かかる挿抜機構は不要であり、サブミラー枠およびメインミラー枠の構造を変えるだけで対処できるので、コストアップを最小限に抑制できる。
【００２１】
なお、上述したようにサブミラー枠４の横方向は比較的スペースに余裕があるので、サブミラー枠を横方向に延長して開口３ｃのサイドの遮光を図ってもよい。これによれば、場合によっては側壁３ｂ，４ｂを省略できる。また開口３ｃが比較的小さくて済む場合には、先端壁３ａ，４ａを斜めではなく、枠面と垂直に立ち上げてもよい。この場合も両側壁を設けることで、遮光性が増し、また枠の強度アップが図れる。
【００２２】
さらに実施形態では、メインミラー枠，サブミラー枠を金属板を絞ることで形成しているが、これらをプラスチックで形成してもよい。また、メインミラーを透過しサブミラーで反射された光束を焦点検出以外の目的で使用するものでもよい。さらにデジタルスチルカメラにて説明したが、銀塩フィルムを扱うカメラにも本発明を適用できる。
【００２３】
【発明の効果】
請求項１の発明によれば、撮影時姿勢でサブミラー枠がメインミラー枠の開口を覆うようにし、かつサブミラー枠に第１遮光壁を、メインミラー枠に第２遮光壁を設けることで大型の開口を遮光可能とした。第１遮光壁は、非撮影時状態で撮影光軸と略直交しているため、光軸後方に突出することはなく、第２遮光壁は光軸と平行であるためメインミラーの透過光を遮ることはない。したがって、他に何らの影響を及ぼさずにメインミラー枠の大型の開口を遮光することが可能となる。また遮光壁を設けることで、サブミラー枠およびメインミラー枠の強度アップが図れる。
請求項６の発明によれば、サブミラー枠に先端遮光壁と一対の側遮光壁を設けたので、遮光性および強度アップが図れる。
【図面の簡単な説明】
【図１】一実施形態におけるカメラのミラー構造を説明する側面図で、ミラーダウン状態を示す。
【図２】図１の要部拡大図。
【図３】図１と同様の図であり、ミラーアップ状態を示す。
【図４】図３の要部拡大図。
【図５】メインミラー枠とサブミラー枠の構造を説明する図で、ミラーダウン状態（非撮影時姿勢）を示す。
【図６】図５と同様の図で、ミラーアップ状態（撮影時姿勢）を示す。
【図７】図６の状態における側壁３ｂ，４ｂの配置を説明する図。
【符号の説明】
１  メインミラー
２  サブミラー
３  メインミラー枠
３ａ，４ａ  先端壁（遮光壁）
３ｂ，４ｂ  側壁（遮光壁）
３ｃ  開口
４  サブミラー枠
１０  撮影レンズ
１１  ペンタプリズム
１２  接眼レンズ
１３  焦点検出装置
１４  シャッタ
１５  撮像素子
【図１】
2004317751.tif 000003
【図２】
2004317751.tif 000004
【図３】
2004317751.tif 000005
【図４】
2004317751.tif 000006
【図５】
2004317751.tif 000007
【図６】
2004317751.tif 000008
【図７】
2004317751.tif 000009